(57)【要約】      （修正有）【課題】コストを増やすことなく部材間の連結強度が十分に確保できる建築構造体及び建築構造体の施工方法を提供する。【解決手段】一方部材１と他方部材２と接合材６と一方側ボルト３と他方側ボルト４とナット５を備え、接合材６は、一方部材１に当接する当接面を有する一側片６ａと、その一側片６ａの一端部から屈曲して他方部材１の側壁に当接する他側片６ｂとからなる略Ｌ字部を有しており、一方側ボルト３は、一方部材１と接合材６の一側片６ａとが当接して重なるボルト孔７ａ，７ｂ同士を挿通し、他方側ボルト４は、他方部材２と接合材６の他側片６ｂとが当接して重なるボルト孔７ａ，７ｂ同士を挿通し、ナット５は、一方側ボルト３と他方側ボルト４にかけて締結し、接合材６の一側片６ａの他方部材２との当接面からボルト孔７ａまでの距離は、一方部材１の一端側からボルト孔７ｂまでの距離より小さくする。【選択図】図１（ａ）（ｂ）（ｃ）
2010189845.tif 000002
【特許請求の範囲】
【請求項１】
一方部材と他方部材と接合材と一方側ボルトと他方側ボルトとナットを備え、一方部材の一端側が他方部材に当接しており、接合材は、一方部材に当接する当接面を有する一側片と、その一側片の一端部から屈曲して他方部材の側壁に当接する他側片とからなる略Ｌ字部を有しており、一側片と他側片と一方部材と他方部材には各々にボルト孔が設けてあり、一方側ボルトは、一方部材と接合材の一側片とが当接して重なるボルト孔同士を挿通し、他方側ボルトは、他方部材と接合材の他側片とが当接して重なるボルト孔同士を挿通し、ナットは、一方側ボルトと他方側ボルトにかけて締結し、接合材の一側片の他方部材との当接面からボルト孔までの距離は、一方部材の一端側からボルト孔までの距離より小さいことを特徴とする建築構造体。
【請求項２】
一端側から所定距離のところにボルト孔が設けてある一方部材に、ボルト孔が設けてあり且つ一方部材との当接面を有する一側片と、ボルト孔が設けてあり且つ他方部材との当接面を有する他側片とからなると共に、他方部材との当接面から一側片のボルト孔までの距離が一方部材の一端側からボルト孔までの距離よりも小さい接合材を、ボルト孔同士を重ねて挿通した一方側ボルトにナットをかけて仮止めする第一の工程、一方部材の一端側を他方部材の側壁に当接させると共に、接合材の他側片を他方の部材の側壁に対向させる第二の工程、他方部材と接合材の他側片のボルト孔同士を挿通する他方側ボルトとナットを締結する第三の工程、一方側ボルトにかけたナットを締結する第四の工程を経ることを特徴とする建築構造体の施工方法。
【発明の詳細な説明】
【技術分野】
【０００１】
本発明は、梁と柱を接合する構造の建築構造体と施工方法に関するものである。
【背景技術】
【０００２】
この種の建築構造体としては、特開平１１−２９３７６７号公報がある。この建築構造体は、一方部材と他方部材とを、略Ｌ字型をなす接合材とボルト及びナットで締結するものであり、接合箇所には、ボルトの頭部に先尖状の凸部が突設してある特殊な固定具を使用しており、ボルトにかけたナットの締め付けにより凸部を溝壁に食い込ませて接合するものであった。
【先行技術文献】
【特許文献】
【０００３】
特開平１１−２９３７６７号公報
【発明の概要】
【発明が解決しようとする課題】
【０００４】
上記の特許文献１に開示されるものでは、特殊なナットを使用しなければならなかった。また、それ以外でも一方部材と接合材との接合部においては、通常のボルトナットで締結するだけなので、当接面に粗面処理を施してナットのズレを防止するなどの特別な工程を経る必要がある。さらに、一方部材の狭まった箇所で締結作業をしなければならず施工が容易ではない。このことから、施工手間が多く、しかも、特殊なボルトとナットを使用するなどの補強コストが割高になる問題点があった。
本発明は、上記課題を鑑みてなされたものであり、コストを増やすことなく部材間の連結強度が十分に確保できる建築構造体及び建築構造体の施工方法を提供することにある。
【課題を解決するための手段】
【０００５】
本発明のうち請求項１記載の発明は、一方部材と他方部材と接合材と一方側ボルトと他方側ボルトとナットを備え、一方部材の一端側が他方部材に当接しており、接合材は、一方部材に当接する当接面を有する一側片と、その一側片の一端部から屈曲して他方部材の側壁に当接する他側片とからなる略Ｌ字部を有しており、一側片と他側片と一方部材と他方部材には各々にボルト孔が設けてあり、一方側ボルトは、一方部材と接合材の一側片とが当接して重なるボルト孔同士を挿通し、他方側ボルトは、他方部材と接合材の他側片とが当接して重なるボルト孔同士を挿通し、ナットは、一方側ボルトと他方側ボルトにかけて締結し、接合材の一側片の他方部材との当接面からボルト孔までの距離は、一方部材の一端側からボルト孔までの距離より小さいことを特徴とする。
【０００６】
本発明のうち請求項２記載の発明では、一端側から所定距離のところにボルト孔が設けてある一方部材に、ボルト孔が設けてあり且つ一方部材との当接面を有する一側片と、ボルト孔が設けてあり且つ他方部材との当接面を有する他側片とからなると共に、他方部材との当接面から一側片のボルト孔までの距離が一方部材の一端側からボルト孔までの距離よりも小さい接合材を、ボルト孔同士を重ねて挿通した一方側ボルトにナットをかけて仮止めする第一の工程、一方部材の一端側を他方部材の側壁に当接させると共に、接合材の他側片を他方の部材の側壁に対向させる第二の工程、他方部材と接合材の他側片のボルト孔同士を挿通する他方側ボルトとナットを締結する第三の工程、一方側ボルトとナットを締結する第四の工程を経ることを特徴とする。
【発明の効果】
【０００７】
本発明の請求項１および２記載の発明によれば、接合材の一側片に設けてあるボルト孔から他側片の他方部材との対向面までの距離が、一方部材に設けてあるボルト孔から一端側までの距離よりも小さいことにより、接合材の他側片を他方部材に当接して重なるボルト孔同士に他方側ボルトを挿通してナットで締めたときに、一方部材に他方部材からの圧縮力が加わるとともに、接合材が他方部材側に引き寄せられることで、一方部材と接合材の一側片のボルト孔が相反する方向に移動する。このことから、一方部材の側壁に接合材の一側片が当接して重なるボルト孔同士に通された一方側ボルトは、各々のボルト孔の孔内周部で一方側ボルトを相反する方向から押圧され、一方側ボルトに引張軸力が導入されるため、接合材による一方部材と他方部材との連結が強固となり、簡単な施工で堅牢な建築構造体を提供できる。
【図面の簡単な説明】
【０００８】
【図１（ａ）（ｂ）（ｃ）】（ａ）は、本実施による建築構造体の横断面図であり、（ｂ）は、縦断面図であり、（ｃ）は、本実施による建築構造体の一部を拡大して示す図である。
【図２（ａ）（ｂ）（ｃ）（ｄ）】（ａ）〜（ｄ）は、建築構造体の施工手順を示す横断面図である。
【図３】本発明の建築構造体の他の実施形態を示す横断面図である。
【発明を実施するための形態】
【０００９】
以下に、図面に基づいて本実施による建築構造体の実施の形態を説明する。
本実施による建築構造体は、図１（ａ）のように、横材である一方部材１と、縦材である他方部材２と、一方部材１と他方部材２とを接合する接合材６と、一方部材１および他方部材２と接合材６とを固定する一方側ボルト３と他方側ボルト４とナット５を備えるものである。また、他方部材２は、断面略矩形状をなす中空押出形材の中空部Ｓに、格子状をなす芯材を挿入したものであり、その芯材の複数箇所には、ナット５を挟み込んで保持できる溝部を有している。
【００１０】
一方部材１の側壁と他方部材２の見込み面には、各々にボルト孔７ａが設けてあり、接合材６を一方側ボルト３と他方側ボルト４、およびナット５で止める構造となっている。接合材６は、一側片６ａとその一側片６ａの一端側から屈曲した他側片６ｂとから略Ｌ字型をなしており、一側片６ａと他側片６ｂの両方にボルト孔７ｂが設けてある。また、他側片６ｂのボルト孔７ｂは、他側片６ｂの他方部材２と対向する端面までの距離が、一方部材１の一端側からボルト孔７ａまでの距離よりも小さくなるように設けてある。また、接合材６は、一方部材１の両側の側壁に各々沿わせてあり、一方側ボルト３で一方部材１を２枚の接合材６で挟むことにより、重なる３つのボルト孔７ａ，７ｂを挿通し、さらに、ナット５をかけて締結するものである。また、一方側ボルト３と他方側ボルト４は、ボルト頭部の凹穴に六角レンチを差し込んで螺合時の回転力を伝達させる態様のものであり、ナット５は、六角ナットが使用されている。
【００１１】
次に、図２（ａ）〜（ｄ）を参照して本実施による建築構造体の施工手順を説明する。
まず、第一工程として、図２（ａ）に示すように、一方部材１の両側の側壁に各々接合材６の一側片６ａを当接し、重なる３つのボルト孔７ａ，７ｂに一方側ボルト３を挿通し、さらに、ナット５をかけて仮止めする。次に、第二工程として、図２（ｂ）に示すように、上記の第一工程で仮組みした一方部材１と接合材６を他方部材２に近付け、当接して重なった接合材６の他側片６ｂのボルト孔７ｂと他方部材２のボルト孔７ａに、他方側ボルト４を挿通する。次に、第三工程として、図２（ｃ）に示すように、他方側ボルト４を他方部材２の中空部Ｓ側に保持してあるナット５に挿通し、他方側ボルト４を締め付けていき、接合材６の他側片６ｂを他方部材２側に引き寄せていくと、接合材６に先んじて一方部材１の一端側が他方部材２の見込み面に当接する。最後に、第四工程として、図２（ｄ）に示すように、接合材６が他方部材２側に当接する状態となるまで一方側ボルト３を締め込んでいくことにより、ボルト孔７ａ，７ｂ内での一方側ボルト３のガタツキがなくなり、本実施による建築構造体の施工が完了する。
【００１２】
上記の第一〜第四工程を経て得られた本実施による建築構造体は、一方部材１の一端側が他方部材２に当接してそれ以上の移動が止められるとともに、ナット５にかけてある他方側ボルト４を締め込んでいくことによって、接合材６が他方部材２側に引き寄せられる。このときに、一方部材１に設けてあるボルト孔７ａと接合材６の一側片６ａに設けてあるボルト孔７ａは、図１（ｃ）を参照すれば、互いが重なる位置から相反する方向に移動するので、両方のボルト孔７ａ，７ｂに挿通した一方側ボルト３は、各々のボルト孔７ａ，７ｂの孔内周部の一部により相反する方向から押圧される。一方側ボルト３と両方のボルト孔７ａ，７ｂの孔内周部の一部との隙間がなくなり、その状態でナット５にかけてある一方側ボルト３を締め込めば、一方部材１には他方部材２からの圧力が、一方側ボルト３には一方部材１と接合材６による引張軸力が導入されると共に、それらが均衡した状態になるため、一方部材１と他方部材２と接合材６の接合部は高い剛性を得ることになる。尚、本実施による建築構造体のボルト孔７ａ，７ｂの具体的寸法については、まず、一方部材１に設けてあるボルト孔（一端側に近いもの）７ｂの中心から一端側までの距離が４３．０ｍｍであり、接合材６の一側片６ａに設けてあるボルト孔（当接面に近いほうのボルト孔）７ａの中心から他方部材２との当接面までの距離が４１．５ｍｍである。また、ボルト孔７ａ，７ｂは１３ｍｍ径であり、一方側ボルト３は１２ｍｍ径である。これにより、一方部材１と他方部材２を接合材６で接合したとき、互いのボルト孔７ａ，７ｂの中心位置が水平方向に２ｍｍ移動してズレることで、ボルト孔７ａ，７ｂに挿通した一方側ボルト３は、各々のボルト孔７ａ，７ｂの孔内周部の一部と隙間なく当接することになる。
【００１３】
本発明の建築構造体は、上記実施形態の他、接合材６が一方部材１と他方部材２における各々のボルト孔７ａに沿わせてボルト３，４を挿通できるＬ字部を有するものであればよい。また、図３のように、他方部材２を板状の縦材または横材とし、その他方部材２の両側壁に各々一方部材１を当接して接合材６により接合するものでもよい。また、上記実施形態では、一方部材１を横材とし、他方部材２を縦材とする接合について記載しているが、横材同士あるいは縦材同士の接合であってもよい。
【符号の説明】
【００１４】
１  一方部材
２  他方部材
３  一方側ボルト
４  他方側ボルト
５  ナット
６  接合材
６ａ  一側片
６ｂ  他側片
７ａ  ボルト孔（一方部材、他方部材に設けられたもの）
７ｂ  ボルト孔（接合材に設けられたもの）
【図１（ａ）（ｂ）（ｃ）】
2010189845.tif 000003
【図２（ａ）（ｂ）（ｃ）（ｄ）】
2010189845.tif 000004
【図３】
2010189845.tif 000005